(57)【要約】    【課題】  旧設計のカメラ本体及び交換レンズと、新設計の中間アクセサリを組み合わせて使用した場合に、ＡＦによってピンぼけが増加することがなく、ユーザーが合焦状態を勘違いすることのないカメラシステムを得ること。    【解決手段】  交換レンズとカメラ本体と中間アクセサリとを有するカメラシステムにおいて、交換レンズは光学的固有情報記憶部と交換レンズの自動合焦の可否状態を示す第一の信号を生成する第一の信号生成手段とレンズ通信制御部を有しており、中間アクセサリは中間アクセサリ通信制御部と交換レンズとカメラ本体の識別符号を判別するＩＤ判別手段を有しており、中間アクセサリ通信制御部はＩＤ判別手段からの出力の値が特定の値であった場合は交換レンズの第一の信号生成手段からの第一の信号として自動合焦が不可能であることをカメラ本体のカメラ通信制御部に対して送信すること。【選択図】    図３
2011170153.tif 000002
【特許請求の範囲】
【請求項１】
交換レンズと、前記交換レンズを着脱可能に装着し、前記交換レンズと情報の通信が可能なカメラ本体と、前記交換レンズと前記カメラ本体の間に着脱可能に装着される、中間アクセサリと、を有するカメラシステムにおいて、
前記交換レンズは、光学的な固有情報を記憶する光学的固有情報記憶部と、該交換レンズの自動合焦の可否状態を示す、第一の信号を生成する第一の信号生成手段と、外部との通信を行うレンズ通信制御部を有しており、前記中間アクセサリは、前記交換レンズと前記カメラ本体との間の情報の通信を中継する中間アクセサリ通信制御部と、前記交換レンズと前記カメラ本体の識別符号を判別するＩＤ判別手段を有しており、前記中間アクセサリ通信制御部は、前記ＩＤ判別手段からの出力の値が特定の値であった場合は、前記交換レンズの第一の信号生成手段からの前記第一の信号として自動合焦が不可能であることを、前記カメラ本体のカメラ通信制御部に対して送信することを特徴とするカメラシステム。
【請求項２】
交換レンズと、前記交換レンズを着脱可能に装着し、前記交換レンズと情報の通信が可能なカメラ本体と、前記交換レンズと前記カメラ本体の間に着脱可能に装着される、中間アクセサリと、を有するカメラシステムにおいて、
前記交換レンズは、光学的な固有情報を記憶する光学的固有情報記憶部と、該交換レンズの自動合焦の可否状態を示す、第一の信号を生成する第一の信号生成手段と、外部との通信を行うレンズ通信制御部を有しており、前記カメラ本体は、位相差検出方式による自動合焦を行う位相差ＡＦ制御部と、コントラスト検出方式による自動合焦を行うコントラストＡＦ制御部の動作を選択的に実行するＡＦ選択手段と、現在選択されている自動合焦方式に関する、第二の信号を生成する第二の信号生成手段と、前記第二の信号を前記交換レンズに向けて送信するカメラ通信制御部を有し、前記中間アクセサリは、前記交換レンズと前記カメラ本体の間の前記第二の信号を含む情報の通信を中継する中間アクセサリ通信制御部と、前記交換レンズと前記カメラ本体の識別符号を判別するＩＤ判別手段を有しており、前記中間アクセサリ通信制御部は、前記カメラ通信制御部より第二の信号を前記交換レンズに送信する際に前記第二の信号が位相差検出方式で、かつ前記ＩＤ判別手段の出力の値が特定の値であった場合は、前記交換レンズの第一の信号生成手段からの前記第一の信号として自動合焦が不可能であることを、前記カメラ本体のカメラ通信制御部に対して送信することを特徴とするカメラシステム。
【請求項３】
交換レンズと、前記交換レンズを着脱可能に装着し、前記交換レンズと情報の通信が可能なカメラ本体と、前記交換レンズと前記カメラ本体の間に着脱可能に装着される、中間アクセサリと、を有するカメラシステムにおいて、
前記交換レンズは、光学的な固有情報を記憶する光学的固有情報記憶部と、該交換レンズの自動合焦の可否状態を示す、第一の信号を生成する第一の信号生成手段と、外部との通信を行うレンズ通信制御部を有しており、前記カメラ本体は、位相差検出方式による自動合焦を行う位相差ＡＦ制御部と、コントラスト検出方式による自動合焦を行うコントラストＡＦ制御部の動作を選択的に実行するＡＦ選択手段と、現在選択されている自動合焦方式に関する、第二の信号を生成する第二の信号生成手段と、前記第二の信号を前記交換レンズに向けて送信するカメラ通信制御部を有し、前記中間アクセサリは、前記交換レンズと前記カメラ本体の間の前記第二の信号を含む情報の通信を中継する中間アクセサリ通信制御部と、前記交換レンズと前記カメラ本体の識別符号を判別するＩＤ判別手段を有しており、前記中間アクセサリ通信制御部は、前記カメラ通信制御部より第二の信号を前記交換レンズに送信する際に前記第二の信号が位相差検出方式で、かつ前記ＩＤ判別手段の出力の値が特定の値であった場合は、前記カメラ本体に対して自動合焦方式をコントラスト検出方式に変更する命令を送信することを特徴とするカメラシステム。
【請求項４】
前記交換レンズは、自動合焦と手動合焦を切り替えるＡＦ／ＭＦ切り替えスイッチを有しており、前記第一の信号生成手段は、前記ＡＦ／ＭＦ切り替えスイッチの状態に応じて前記第一の信号を生成することを特徴とする請求項１乃至３のいずれか１項に記載のカメラシステム。
【請求項５】
前記交換レンズは、焦点調節のために移動可能なレンズと、該レンズを移動させるためのモーターを有しており、前記第一の信号生成手段は、該モーターが駆動中である場合には前記第一の信号を自動合焦が不可能であることを特徴とする請求項１乃至４のいずれか１項に記載のカメラシステム。
【発明の詳細な説明】
【技術分野】
【０００１】
本発明はカメラシステムに関し、特にカメラ本体、カメラ本体に着脱可能に装着される交換レンズと、カメラ本体と交換レンズとの間に着脱可能に装着される中間アクセサリとを有するデジタルカメラやビデオカメラ等のカメラシステムに関するものである。
【背景技術】
【０００２】
従来、カメラ本体とカメラ本体に着脱可能に装着される交換レンズからなるカメラシステムにおいては、交換レンズに光学的な固有情報が電子データとして格納されている。ここで光学的な固有情報とは、例えばフォーカスレンズの移動量とピント移動量との関係を示すデータ、ピント補正量に関するデータ、焦点距離データ、絞りデータ等である。これらの固有情報を適切なタイミングで交換レンズからカメラ本体に伝達することでオートフォーカス（ＡＦ）や、オートエクスポージャ（ＡＥ）等が行われている。
【０００３】
また、多くのカメラシステムでは、カメラ本体と交換レンズの間に中間アクセサリを着脱可能に装着して使用する場合がある。その際、交換レンズと中間アクセサリの総合した光学的な固有情報は、交換レンズ単体の光学的な固有情報とは異なる。そのため、中間アクセサリを装着した時には、カメラ本体、又は交換レンズがその接続を検出して上記光学的な固有情報を、中間アクセサリを加味した値に補正するようにしている。
【０００４】
また、カメラ本体には自動焦点検出方式として、位相差検出方式によるＡＦ（以下、「位相差ＡＦ」と称す。）と、コントラスト検出方式によるＡＦ（以下、「コントラストＡＦ」と称す。）の両方を選択的に実行できるようにしたものがある。特に位相差ＡＦにおいては、撮影光学系のピントを検出する光学系と撮像光学系が異なる。このため、フォーカスレンズの移動量とピント移動量との関係を示すデータや、ピント補正量に関するデータなどの、交換レンズが保有する光学的な固有情報が重要になってくる。
【０００５】
しかしながら、設計(機能の旧いカメラ本体及び交換レンズと、設計の新しい中間アクセサリが組み合わせて用いられた場合には、カメラ及びレンズが中間アクセサリの光学的な固有情報を保有していないために上記のような光学的な固有情報の補正ができない。このため位相差ＡＦで検出されるピントが撮影光学系のピントに一致しないことがあった。
【０００６】
なお、本明細書において、上記の設計の新旧ということは、以下のような意味で使用している。すなわち、ある時期より前に開発されたカメラ及び交換レンズに対して、それよりも後に開発された中間アクセサリがある場合、前者を設計の旧いカメラ及び交換レンズと呼び、後者を設計の新しい中間アクセサリと呼ぶ。更には、開発時期が前後するために、設計の旧い方は設計の新しい方の光学的固有情報を予め内蔵メモリ等に保有しておくことはできない。
【０００７】
上記の問題点を解決するためのカメラシステムが従来より種々と提案されている（特許文献１参照）。特許文献１ではカメラ本体及び交換レンズの撮影システムが中間アクセサリが開発されたときよりも旧い設計の場合は、中間アクセサリにおいて交換レンズの光学的な固有情報を補正し、カメラ本体に送信するという技術を開示している。
【先行技術文献】
【特許文献】
【０００８】
【特許文献１】特開２００２−３４１４２４号公報
【発明の概要】
【発明が解決しようとする課題】
【０００９】
特許文献１に開示されたカメラシステムでは、旧設計のカメラ本体及び交換レンズと新設計の中間アクセサリとが組み合わせられた場合、中間アクセサリにおいて光学的な固有情報の補正処理を行うことにより通信が遅れることがある。そのため、被写体追尾型の位相差ＡＦなどの光学的な固有情報の通信量が多い場合に、カメラ本体に適切なタイミングで情報を伝達することができない。また、ＡＦをすることで逆にピンぼけの画像が撮影される頻度が高まる可能性が高い。また、上記カメラシステムでは一見正常にＡＦが行われているように見えるため、ユーザー(撮影者）は撮影画像を確認するまでピンぼけであることを認識できないことがある。
【００１０】
本発明は旧設計のカメラ本体及び交換レンズと、新設計の中間アクセサリを組み合わせて使用した場合に、ＡＦによってピンぼけが増加することがなく、ユーザーが合焦状態を勘違いすることのなくＡＦが行なわれるカメラシステムの提供を目的とする。
【課題を解決するための手段】
【００１１】
本発明のカメラシステムは、交換レンズと、前記交換レンズを着脱可能に装着し、前記交換レンズと情報の通信が可能なカメラ本体と、前記交換レンズと前記カメラ本体の間に着脱可能に装着される、中間アクセサリと、を有するカメラシステムにおいて、前記交換レンズは、光学的な固有情報を記憶する光学的固有情報記憶部と、該交換レンズの自動合焦の可否状態を示す、第一の信号を生成する第一の信号生成手段と、外部との通信を行うレンズ通信制御部を有しており、前記中間アクセサリは、前記交換レンズと前記カメラ本体との間の情報の通信を中継する中間アクセサリ通信制御部と、前記交換レンズと前記カメラ本体の識別符号を判別するＩＤ判別手段を有しており、前記中間アクセサリ通信制御部は、前記ＩＤ判別手段からの出力の値が特定の値であった場合は、前記交換レンズの第一の信号生成手段からの前記第一の信号として自動合焦が不可能であることを、前記カメラ本体のカメラ通信制御部に対して送信することを特徴としている。
【発明の効果】
【００１２】
本発明によれば旧設計のカメラ本体及び交換レンズと、新設計の中間アクセサリを組み合わせて使用した場合に、ＡＦによってピンぼけが増加することがなく、ユーザーが合焦状態を勘違いすることのないカメラシステムを達成することができる。
【図面の簡単な説明】
【００１３】
【図１】本発明の実施例に関わる基本的な構成を表すブロック図
【図２】本発明の実施例に関わる基本的な構成を表すブロック図
【図３】本発明の実施例１における機能ブロック図
【図４】本発明の実施例１におけるフローチャート図
【図５】本発明の実施例２における機能ブロック図
【図６】本発明の実施例２におけるフローチャート図
【図７】本発明の実施例３における機能ブロック図
【図８】本発明の実施例３におけるフローチャート図
【発明を実施するための形態】
【００１４】
以下に、本発明の好ましい実施の形態を、添付の図面に基づいて説明する。本発明のカメラシステムは、交換レンズ１０１と、交換レンズ１０１を着脱可能に装着し、交換レンズ１０１と情報の通信が可能なカメラ本体１０９と、交換レンズ１０１とカメラ本体１０９の間に着脱可能に装着される、中間アクセサリ１０５と、を有している。交換レンズ１０１は、光学的な固有情報を記憶する光学的固有情報記憶部１０２ｂと、交換レンズ１０１の自動合焦の可否状態を示す、第一の信号を生成する第一の信号生成手段（ＡＦ可否信号生成部）１０２ｄと、を有している。さらに外部との通信を行うレンズ通信制御部１０２ａを有している。中間アクセサリ１０５は、交換レンズ１０１とカメラ本体１０９との間の情報の通信を中継する中間アクセサリ通信制御部１０６ａと、交換レンズ１０１とカメラ本体１０９の識別符号を判別するＩＤ判別手段１０６ｂを有している。中間アクセサリ通信制御部１０６ａは、ＩＤ判別手段１０６ｂからの出力の値が特定の値であった場合は、以下の動作を行う。すなわち、交換レンズ１０１の第一の信号生成手段１０２ｄからの第一の信号として自動合焦が不可能であることを、カメラ本体１０９のカメラ通信制御部１１０ａに対して送信する。
【００１５】
この他、本発明のカメラシステムにおいて、カメラ本体１０９は位相差検出方式による自動合焦を行う位相差ＡＦ制御部１１０ｅを有する。さらにコントラスト検出方式による自動合焦を行うコントラストＡＦ制御部１１０ｆの動作を選択的に実行するＡＦ選択手段１１０ｄを有する。そして、現在選択されている自動合焦方式に関する、第二の信号を生成する第二の信号生成手段（ＡＦ選択信号生成部）１１０ｃと、第二の信号を交換レンズに向けて送信するカメラ通信制御部１１０ａを有している。また、中間アクセサリ１０５は、交換レンズ１０１とカメラ本体１０９の間の第二の信号を含む情報の通信を中継する中間アクセサリ通信制御部１０６ａと、交換レンズ１０１とカメラ本体１０９の識別符号を判別するＩＤ判別手段１０６ｂを有している。そして、中間アクセサリ通信制御部１０６ａは、カメラ通信制御部１１０ａより第二の信号を交換レンズ１０１に送信する際に第二の信号が位相差検出方式で、かつＩＤ判別手段１０６ｂの出力の値が特定の値であった場合は、次の動作を行う。すなわち、交換レンズ１０１の第一の信号生成手段１０２ｄからの第一の信号として自動合焦が不可能であることを、カメラ本体１０９のカメラ通信制御部１１０ａに対して送信する。または、カメラ本体１０９に対して自動合焦方式をコントラスト検出方式に変更する命令を送信する。
【００１６】
図１、図２は、各々本発明のカメラシステムの各実施例に関わる基本的な構成を示すブロック図である。図１、図２のカメラシステムにおいて、１０１は光学的な固有情報を有する交換レンズである。１０９は交換レンズ１０１と着脱可能に装着でき、交換レンズ１０１と通信可能なカメラ本体である。カメラ本体１０９は、図１に示す本実施例では通信端子１０４、１１１を介して交換レンズ１０１と通信が可能である。通常この通信端子１０４、１１１を介してカメラ本体１０９、交換レンズ１０１の各々の状態や光学的な固有情報、駆動命令などの情報をやり取りすることでカメラシステムとしての動作を成している。
【００１７】
交換レンズ１０１は、焦点調節のために移動可能なフォーカスレンズ（不図示）と、該フォーカスレンズを移動させるための駆動手段としてのモーター（不図示）を備えている。
【００１８】
なお、本カメラシステムには不図示の測距光学系や、ＡＦ用レンズ、モーター、絞り、撮像素子等さまざまな構成要素が設けられているが、説明の簡単化のため省略する。
【００１９】
図２では交換レンズ１０１とカメラ本体１０９の間（交換レンズとカメラ本体間）に中間アクセサリ１０５を装着した場合を示している。このとき中間アクセサリ１０５は通信端子１０７を介して交換レンズ１０１側の通信端子１０４と接続されている。また、中間アクセサリ１０５は通信端子１０８を介してカメラ本体１０９側の通信端子１１１と接続されている。中間アクセサリ１０５は、カメラ本体１０９−交換レンズ１０１間の通信を中継することが可能（中継可能）である。なお、中間アクセサリ１０５としては、例えばコンバーターレンズや中間リング等である。
【００２０】
図１、図２において１０２はレンズ内ＣＰＵであり、レンズ内ＣＰＵ１０２の不図示の記憶部にはレンズ移動量とピント移動量との関係を示すデータ、ピント補正量に関するデータ、焦点距離データ、絞りデータ等の光学的な固有情報が格納されている。更にレンズ内ＣＰＵ１０２は、交換レンズ１０１側の通信端子１０４を介してカメラ本体１０９側のカメラ内ＣＰＵ１１０と通信を行う。レンズ内ＣＰＵ１０２はカメラ本体１０９側から送られてくる制御命令に従って不図示のＡＦ用レンズ、絞り等の駆動制御を行っている。１０３はＡＦ／ＭＦ切り替えスイッチであり、オートフォーカス(自動合焦）（ＡＦ）又はマニュアルフォーカス(手動合焦）（ＭＦ）の切り替えをユーザーが手動で行っている。
【００２１】
カメラ内ＣＰＵ１１０は、カメラ本体１０９側の通信端子１１１を介して交換レンズ１０１側との通信を行っている。更にカメラ内ＣＰＵ１１０はピント位置の演算、不図示のシャッターユニットや撮像素子の制御等を行っている。
【００２２】
図２において１０６は中間アクセサリ１０５内の処理回路であり、例えばマイコンと受動素子等で構成され、通信端子１０７、１０８を介して交換レンズ１０１とカメラ本体１０９間の通信を中継している。
［実施例１］
次に本発明の実施例１のカメラシステムの動作について図３、図４を用いて説明する。図３は本実施例のカメラシステムの機能ブロック図である。図３において、レンズ内ＣＰＵ１０２内のレンズ通信制御部１０２ａはカメラ内ＣＰＵ１１０のカメラ通信制御部１１０ａと通信可能となっている。また、図３に示すように中間アクセサリ１０５が装着された状態では、中間アクセサリ処理回路１０６内の中間アクセサリ通信制御部１０６ａと通信可能である。更に中間アクセサリ通信制御部１０６ａはカメラＣＰＵ１１０内のカメラ通信制御部１１０ａと通信可能であり、これによりレンズ内ＣＰＵ１０２は中間アクセサリ処理回路１０６を経由してカメラＣＰＵ１１０と通信可能となっている。
【００２３】
また、レンズ内ＣＰＵ１０２は、光学的固有情報記憶部１０２ｂを有し、図１に示すように交換レンズ１０１が直接、カメラ本体１０９に取り付けられた場合には、必要に応じて光学的な固有情報がカメラ本体１０９に送信される。
【００２４】
１０２ｃはレンズＩＤ記憶部であり、レンズの種別を表す識別符号（以下、「ＩＤ（identifier）」とも称す。）を格納している。１０３は前記の如くＡＦ／ＭＦ切り替えスイッチであり、ユーザー（操作者）が手動で操作可能となっている。１０２ｄは第一の信号生成手段としてのＡＦ可否信号生成部であり、ＡＦ／ＭＦ切り替えスイッチ１０３の状態を基に、現在交換レンズ１０１がＡＦ可能な状態（自動合焦（ＡＦ）可否状態）か否かを表す信号（第一の信号）を生成している。
【００２５】
更にＡＦ可否信号生成部１０２ｄは、不図示のＡＦ用レンズがモーターにより駆動されている最中も、一時的にＡＦ可否信号をＡＦ不可能な状態を表す信号に設定することができる。
【００２６】
カメラＣＰＵ１１０はカメラの種別を表すＩＤを格納するカメラＩＤ記憶部１１０ｂを有している。中間アクセサリ処理回路１０６は交換レンズ１０１のＩＤとカメラ本体１０９のＩＤを判別するＩＤ判別手段としてのＩＤ判別部１０６ｂを有している。ＩＤ判別部１０６ｂは、交換レンズ１０１及びカメラ本体１０９が中間アクセサリ１０５よりも旧い設計(機能）か否かを各ＩＤを基に判別している。
【００２７】
本実施例ではＩＤ判別手段１０６ｂの出力の値が特定の値であった場合は、交換レンズ１０１の状態に関わらず、該交換レンズ１０１がＡＦ不可能であることを示す第一の信号をカメラ本体１０９に対して送信している。なお、上記特定の値とは、交換レンズ１０１及びカメラ本体１０９のＩＤが中間アクセサリ１０５よりも旧い設計であることを示した値のことである。
【００２８】
さらに、中間アクセサリ処理回路１０６はレンズ内ＣＰＵ１０２より受信したＡＦ可否信号を、ＩＤ判別部１０６ｂの結果に応じて書き換えるＡＦ可否信号書換え部１０６ｃを有している。
【００２９】
なお、書換えが行われるのは、交換レンズ１０１及びカメラ本体１０９が中間アクセサリ１０５よりも旧い設計であることを表すＩＤを有している場合、または、レンズ内ＣＰＵ１０２からＡＦ可能であると言うＡＦ可否信号を受信した場合である。
【００３０】
次に本発明の実施例１によるカメラシステムにおける中間アクセサリ１０５の動作について図４のフローチャートを用いて説明する。
【００３１】
まず、Ｓ４０１において、交換レンズ１０１−中間アクセサリ１０５−カメラ本体１０９が物理的に接続され、電源が入ると、レンズ通信制御部１０２ａとカメラ通信制御部１１０ａは中間アクセサリ通信制御部１０６ａを介して通信を開始する。続いてＳ４０２では、今回の通信において、中間アクセサリ処理回路１０６が交換レンズ１０１及びカメラ本体１０９のＩＤを受信したか否かを判別し、受信していればＳ４０３へ進み、ＩＤ情報を保持する。今回の通信で受信していなければ、Ｓ４０４へ進み、前回までの通信でＩＤ情報を受信し、保持しているか否かを判別し、保持していない場合はＳ４０１へ戻り、次の通信を待つ。保持している場合はＳ４０５へ進み、今回の通信で中間アクセサリ処理回路１０６が、レンズ内ＣＰＵ１０２からＡＦ可否信号を受信したか否かを判別する。受信していない場合は、Ｓ４０１へ戻り、次の通信を待つ。受信した場合は、Ｓ４０６へ進み、Ｓ４０３で保持した交換レンズ１０１及びカメラ本体１０９のＩＤが中間アクセサリ１０５よりも旧い設計であることを表すＩＤか否かを判別する。
【００３２】
交換レンズ１０１及びカメラ本体１０９のＩＤが中間アクセサリ１０５よりも旧い設計（ＩＤ判別手段１０６ｂの出力の値が特定の値）である場合は、Ｓ４０７へ進み、ＡＦ可否信号をＡＦ不可能状態を表すように書き換えてＳ４０８へ進む。一方、交換レンズ１０１またはカメラ本体１０９のＩＤのいずれかが中間アクセサリ１０５よりも新しい設計である場合は、そのままＳ４０８へ進む。Ｓ４０８ではＡＦ可否信号をカメラＣＰＵ１１０へ向けて送信する。
【００３３】
その後は電源ＯＦＦ、又は交換レンズ１０１−中間アクセサリ１０５−カメラ本体１０９のいずれかの接続が取り外されるまで、Ｓ４０９、Ｓ４１０を繰り返し、カメラ本体１０９−交換レンズ１０１通信の中継を行う。
【００３４】
上記の動作により、交換レンズ１０１及びカメラ本体１０９が中間アクセサリ１０５よりも旧い設計である場合には、交換レンズ１０１の状態に関わらず、交換レンズ１０１がＡＦ不可能であると言う情報（第一の信号）がカメラ本体１０９に送信される。
【００３５】
また、本実施例においては、交換レンズ１０１は、焦点調節のために移動可能なレンズと、該レンズを移動されるためのモーターを備え、前記第一の信号生成手段１０２ｄは、該モーターが駆動中である場合には前記第一の信号をＡＦ不可能を示す状態とする
本実施例に拠れば、中間アクセサリ１０５を接続したことによりＡＦによる合焦が困難な状況において、カメラ本体１０９が誤ったＡＦ動作の指示や、誤った合焦判定をすることがなく、ユーザーが認識できないピンぼけ写真の増加を防ぐことができる。
【００３６】
このように本実施例では上述した如く旧設計のカメラ本体及び交換レンズと、新設計の中間アクセサリを組み合わせて使用した場合に、ＡＦによってピンぼけが増加することがなく、ユーザーが合焦状態を勘違いすることのないカメラシステムを得ている。
［実施例２］
次に本発明の実施例２のカメラシステムの動作について図５、図６を用いて説明する。図５は本実施例のカメラシステムの機能ブロック図である。図５において、前述の図３と共通する部分は同じ記号で表しており、重複を避けるため共通部分の説明は割愛する。
【００３７】
本実施例において実施例１と異なる点は、カメラＣＰＵ１１０内において、第二の信号生成手段としてのＡＦ選択信号生成部１１０ｃ、ＡＦ選択手段としてのＡＦ選択部１１０ｄ、位相差ＡＦ制御部１１０ｅ、コントラストＡＦ制御部１１０ｆを加えたことである。その他の構成及び光学的作用は実施例１と同様であり、これにより同様な効果を得ている。
【００３８】
本実施例におけるカメラ本体１０９は、位相差検出方式によるＡＦ（位相差ＡＦ）と、コントラスト検出方式によるＡＦ（コントラストＡＦ）の両方を選択的に実行できる（実行可能）。
【００３９】
ＡＦ選択信号生成部１１０ｃは、カメラ本体１０９に設けられた選択スイッチやモードダイヤル、又はプログラム等の不図示の指示手段からの指示によって、現在選択されているＡＦ方式(自動合焦方式）を決定するＡＦ選択信号（第二の信号）を生成している。
【００４０】
ＡＦ選択部１１０ｄはＡＦ選択信号に基づいて位相差ＡＦを行うか、コントラストＡＦを行うかを選択している。位相差ＡＦが選択された場合は位相差ＡＦ制御部１１０ｅにより位相差ＡＦの制御が行われる。また、コントラストＡＦが選択された場合はコントラストＡＦ制御部１１０ｆによりコントラストＡＦの制御が行われる。
【００４１】
次に本発明の実施例２によるカメラシステムにおける中間アクセサリの動作について図６のフローチャートを用いて説明する。図６において、前述の実施例１の図４と共通する部分は同じ記号で表しており、重複を避けるため共通部分の説明は割愛する。
【００４２】
本実施例において、前述の実施例１との第一の違いは、ＩＤ情報を保持すると、Ｓ６０１に進み、カメラＣＰＵ１１０からＡＦ選択信号の受信を確認するところである。
【００４３】
Ｓ６０１において、今回の通信でＡＦ選択信号を受信すると、Ｓ６０２に進み、ＡＦ選択信号を保持する。今回の通信でＡＦ選択信号を受信しなかった場合は、Ｓ６０３に進み、ＡＦ選択信号を既に保持しているか否かを判別する。ＡＦ選択信号を保持していない場合は、Ｓ４０１に戻り次の通信を待つ。ＡＦ選択信号を保持している場合はＳ４０５へ進み、今回の通信で中間アクセサリ処理回路１０６が、レンズ内ＣＰＵ１０２からＡＦ可否信号を受信したか否かを判別する。
【００４４】
また、本実施例において、前述の実施例１との第二の違いは、Ｓ４０７におけるＡＦ可否信号の書換え条件である。実施例１では交換レンズ１０１及びカメラ本体１０９のＩＤが中間アクセサリ１０５よりも旧い設計である場合という条件のみであった。これに対して、本実施例ではその条件に加え、Ｓ６０４において先に受信したＡＦ選択信号が位相差ＡＦを表しているか否かを判別する。位相差ＡＦを表している場合はＳ４０７へ進み、ＡＦ可否信号書換えを行うが、位相差ＡＦを表していない場合（つまりコントラストＡＦを表している場合）は書換えを行わない。
【００４５】
上記の動作により、交換レンズ１０１及びカメラ本体１０９が中間アクセサリ１０５よりも旧い設計であり、かつ、カメラ本体１０９が選択しているＡＦ方式が位相差ＡＦである場合には、交換レンズ１０１の状態に関わらず、以下の動作を行う。つまり、中間アクセサリ１０５は、交換レンズ１０１がＡＦ不可能であると言う情報（第一の信号）をカメラ本体１０９に送信する。
【００４６】
本実施例に拠れば、中間アクセサリ１０５を接続したことにより位相差ＡＦによる合焦が困難な状況において、カメラ本体１０９が誤ったＡＦ動作の指示や、誤った合焦判定をすることがなく、ユーザーが認識できないピンぼけ写真の増加を防ぐことができる。
［実施例３］
次に本発明の実施例３のカメラシステムの動作について図７、図８を用いて説明する。図７は本実施例のカメラシステムの機能ブロック図である。図７において、前述の実施例１、２の図３、図５と共通する部分は同じ記号で表しており、重複を避けるため共通部分の説明は割愛する。
【００４７】
本実施例において、前述の実施例２の図５と異なる点は、中間アクセサリ１０６内において、ＡＦ可否信号書換え部１０６ｃを無くし、その代わりにコントラストＡＦ命令生成部１０６ｄを加入したことである。その他の構成及び光学的作用は実施例２と同様であり、これにより同様な効果を得ている。
【００４８】
つまり、図７において、１０６ｄはコントラストＡＦ命令生成部であり、カメラＣＰＵ１１０に対してＡＦ方式をコントラストＡＦに変更するよう指示するための命令を生成している。
【００４９】
次に本発明の実施例３のカメラシステムにおける中間アクセサリの動作について図８を用いて説明する。図８において、前述の実施例２の図６と共通する部分は同じ記号で表しており、重複を避けるため共通部分の説明は割愛する。
【００５０】
本実施例において、前述の実施例２との第一の違いは、レンズ内ＣＰＵ１０２からのＡＦ可否信号の受信を判別する部分（図６におけるＳ４０５）なくなったことである。本実施例では、ＡＦ選択信号保持後すぐにＳ４０６のＩＤ判別に進む。
【００５１】
また、本実施例において、前述の実施例２との第二の違いは、図６におけるＳ４０７のＡＦ可否信号書換えと、Ｓ４０８のＡＦ可否信号送信がなくなり、替わりにＳ８０１のコントラストＡＦ命令送信が加わったことである。本実施例では、交換レンズ１０１及びカメラ本体１０９が中間アクセサリ１０５よりも旧い設計である場合、かつ位相差ＡＦである場合には、以下の動作を行う。つまり、Ｓ８０１においてコントラストＡＦ命令生成部１０６ｄよりコントラストＡＦ命令がカメラＣＰＵ１１０に送信され、Ｓ４０９に進む。また、Ｓ４０６において交換レンズ１０１及びカメラ本体１０９が中間アクセサリ１０５よりも新しい場合、又はＳ６０４においてコントラストＡＦである場合はＳ８０１には進まずＳ４０９へ進む。
【００５２】
上記の動作により、交換レンズ１０１及びカメラ本体１０９が中間アクセサリ１０５よりも旧い設計であり、かつ、カメラ本体１０９が選択しているＡＦ方式が位相差ＡＦである場合には、以下の動作を行う。つまり、カメラ本体１０９のＡＦ方式をコントラストＡＦに変更するための命令が中間アクセサリ処理回路１０６からカメラＣＰＵ１１０に送信される。すなわち、コントラストＡＦ命令生成部１０６ｄからの信号が中間アクセサリ通信制御部１０６ａを介して送信される。
【００５３】
本実施例に拠れば、中間アクセサリ１０５を接続したことにより位相差ＡＦによる合焦が困難な状況において、カメラ本体１０９のＡＦ方式を変更し、コントラストＡＦによる合焦を可能にすることができる。
【００５４】
以上、本発明の好ましい実施例について説明したが、本発明はこれらの実施例に限定されず、その要旨の範囲内で種々の変形及び変更が可能である。
【符号の説明】
【００５５】
１０１  交換レンズ、１０２ａ  レンズ通信制御部、１０２ｂ  光学的固有情報記憶部、１０２ｄ  第一の信号生成手段、１０９  カメラ本体、１０５  中間アクセサリ、１０６ａ  中間アクセサリ通信制御部、１０６ｂ  ＩＤ判別手段、１１０ａ  カメラ通信制御部
【図１】
2011170153.tif 000003
【図２】
2011170153.tif 000004
【図３】
2011170153.tif 000005
【図４】
2011170153.tif 000006
【図５】
2011170153.tif 000007
【図６】
2011170153.tif 000008
【図７】
2011170153.tif 000009
【図８】
2011170153.tif 000010